(57)【要約】 【課題】混載モード時に、原稿トレイ上の混載原稿の辺を揃えなくても、生産性を低下させることなく原稿サイズを検出して原稿画像を良好に読み取ることができる画像読取装置を提供する。【解決手段】画像読取装置１００は、原稿を搬送する搬送パス１３０と、搬送パス１３０を搬送される原稿の画像を読み取るラインセンサ１２６と、搬送パス１３０上に配置され、原稿の有無を検知する検知センサ１０９と、検知センサ１０９の検知結果を用いて原稿サイズを決定するＣＰＵ２０２と、ラインセンサ１２６によって読取った原稿画像を用いてエッジ検知によって原稿サイズを決定するＣＰＵ２０２と、検知センサ１０９の検知結果から求めた原稿サイズと、原稿画像のエッジ検知から求めた原稿サイズのいずれを採用するかを決定する決定部（Ｓ３０６）を備える。【選択図】図３
2016197773.tif 000002
【特許請求の範囲】
【請求項１】
原稿を搬送する搬送路と、
前記搬送路を搬送される原稿の画像を読み取る画像読取手段と、
前記搬送路上に配置され、原稿の有無を検知する原稿検知手段と、
前記原稿検知手段の検知結果を用いて原稿サイズを決定する第１の決定手段と、
前記画像読取手段によって読取った原稿画像を用いて原稿サイズを決定する第２の決定手段と、
前記第１の決定手段が決定した原稿サイズと、前記第２の決定手段が決定した原稿サイズのうち、いずれを採用するかを選択する選択手段と、
を備えることを特徴とする画像読取装置。
【請求項２】
前記選択手段は、異なるサイズの原稿が連続して読み取られる混載モード時の原稿サイズとして、前記第２の決定手段が決定した原稿サイズを選択することを特徴とする請求項１記載の画像読取装置。
【請求項３】
前記原稿の幅方向を規制する一対の規制部材を備えた幅規制手段を有し、
前記原稿検知手段が検知する前記原稿の一辺を支持する一の規制部材に対向する他の規制部材で支持される前記原稿の他辺を検出する対向センサを、更に備え、
前記選択手段は、
前記対向センサが、前記原稿の前記他辺が前記他の規制部材に当接して搬送されたことを検知した場合、原稿サイズとして前記第１の決定手段が決定した原稿サイズを選択し、
前記対向センサが、前記原稿の前記他辺が前記他の規制部材に当接しないで搬送されたことを検知した場合、前記原稿サイズとして前記第２の決定手段が決定した原稿サイズを選択することを特徴とする請求項１記載の画像読取装置。
【請求項４】
前記原稿の幅方向を規制する一対の規制部材を備えた幅規制手段を有し、
前記一対の規制部材の間隔を用いて前記原稿サイズを決定する第３の決定手段を備え、
前記第１の決定手段が決定した原稿サイズと、前記第３の決定手段が決定した原稿サイズが異なる場合、前記選択手段は、原稿サイズとして、前記第２の決定手段が決定した原稿サイズを選択することを特徴とする請求項１記載の画像読取装置。
【請求項５】
前記幅規制手段は、前記一対の規制部材の移動に伴って回動する抵抗器を備えており、
前記一対の規制部材の間隔は、前記抵抗器の検出値を用いて決定されることを特徴とする請求項４記載の画像読取装置。
【請求項６】
前記原稿検知手段は、前記搬送路の主走査方向に沿って配列された複数の検知センサを備えており、前記第１の決定手段は、前記複数の検知センサの検知結果の組み合わせに従って前記原稿サイズを決定することを特徴とする請求項１乃至５のいずれか１項に記載の画像読取装置。
【請求項７】
前記第２の決定手段は、前記画像読取手段によって読み取られた原稿画像に対して主走査方向に沿ってエッジ検知を行い、該エッジ検知の結果を用いて前記原稿サイズを決定することを特徴とする請求項１乃至６のいずれか１項に記載の画像読取装置。
【発明の詳細な説明】
【技術分野】
【０００１】
本発明は、原稿サイズ検知センサを備えた画像読取装置に関する。
【背景技術】
【０００２】
従来から、自動原稿搬送装置を装備した画像読取装置であって、原稿に光を照射する光走査部を所定の原稿読取位置に停止させ、原稿を１枚ずつ移動させながら読み取る、流し読み機能を有する画像読取装置が知られている。このような画像読取装置の中には、異なる大きさの原稿を重ねて原稿トレイ上に載置し、連続して流し読むことができる混載モードを備えたものがある。混載モードでは、原稿サイズが１枚毎に異なるために、原稿の搬送路上に原稿サイズ検知手段を設け、検知された原稿サイズに応じて変倍処理、画像データ格納用メモリの確保等が行われている。
【０００３】
ところで、原稿サイズ検知手段として、原稿サイズ検知センサを備えたものや、読取画像データから原稿サイズを検知するものが提案されている（例えば、特許文献１参照）。また、設定された原稿サイズと、読取画像データから検知した原稿サイズとを比較し、両者に差異がある場合に、読取画像データから検知した原稿サイズを削除するものも提案されている（例えば、特許文献２参照）
【先行技術文献】
【特許文献】
【０００４】
【特許文献１】特開２０１３−１０２２６７号公報
【特許文献２】特許第４９０５２６８号明細書
【発明の概要】
【発明が解決しようとする課題】
【０００５】
しかしながら、原稿サイズ検知センサを備えた画像読取装置では、混載モードにおいて、混載原稿の側面のうちいずれか１辺を揃えて原稿トレイ上に載置する必要があり、これに反すると原稿サイズを誤検知し、画像不良が発生するという問題がある。
【０００６】
例えば、図１４（ａ）に示したように、サイズが大きい大原稿とサイズが小さい小原稿を本来揃えるべき右側辺ではなく、左側辺を揃えて原稿トレイ上に載置した場合、原稿サイズ検知センサは小原稿を大原稿と誤検知することがある。すなわち、左側辺を揃えて原稿トレイ上に載置し、原稿サイズに合わせてプリント用紙サイズを選択する設定でコピーを取ると、図１４（ｂ）のような期待される出力に対し、図１４（ｃ）のような大原稿用の用紙の左上に画像が寄った出力がなされることがある。また、プリント用用紙サイズを小原稿用の用紙に設定し、用紙サイズに合わせて読取画像を変倍処理して印刷する設定でコピーを取ると、図１４（ｄ）のように縮小した画像が出力されてしまうことがある。
【０００７】
一方、読取画像データから原稿サイズを検知する画像読取装置では、混載モードでも原稿を揃える必要はないが、画像データの到達を待って格納用メモリの確保や変倍率の算出を行う必要があるため、原稿サイズ検知センサを用いた場合に比べて生産性が低下する。
【０００８】
本発明は、混載モード時に、原稿トレイ上の混載原稿の辺を揃えなくても、生産性を低下させることなく原稿サイズを適正に検出して原稿画像を良好に読み取ることができる画像読取装置を提供することを目的とする。
【課題を解決するための手段】
【０００９】
上記課題を解決するため、本発明の画像読取装置は、原稿を搬送する搬送路と、前記搬送路を搬送される原稿の画像を読み取る画像読取手段と、前記搬送路上に配置され、原稿の有無を検知する原稿検知手段と、前記原稿検知手段の検知結果を用いて原稿サイズを決定する第１の決定手段と、前記画像読取手段によって読取った原稿画像を用いて原稿サイズを決定する第２の決定手段と、前記第１の決定手段が決定した原稿サイズと、前記第２の決定手段が決定した原稿サイズのうち、いずれを採用するかを選択する選択手段と、を備えることを特徴とする。
【発明の効果】
【００１０】
本発明によれば、原稿検知手段の検知結果を用いて第１の決定手段が決定した原稿サイズと、読取った原稿画像を用いて第２の決定手段が決定した原稿サイズのうち、いずれを採用するかを選択する選択手段を備える。従って、混載モード時の原稿サイズとして、第２の決定手段が決定した原稿サイズを採用することにより、原稿トレイ上の混載原稿の辺を揃えなくても、生産性を低下させることなく原稿サイズを適正に検出して原稿画像を良好に読み取ることができる。
【図面の簡単な説明】
【００１１】
【図１】実施の形態に係る画像読取装置の概略構成を示す断面図である。
【図２】図１の画像読取装置における信号処理基板の構成を示すブロック図である。
【図３】図１の画像読取装置によって実行される原稿サイズ検知処理の手順を示すフローチャートである。
【図４】原稿サイズ検知センサを説明するための図である。
【図５】原稿サイズ検知センサのセンサ出力と原稿サイズとの対応表である。
【図６】図３のステップＳ３０８で実行される第２の原稿サイズ検知処理の手順を示すフローチャートである。
【図７】エッジ検出処理を説明するための図である。
【図８】第２の実施の形態に係る画像読取装置における信号処理基板の構成を示すブロック図である。
【図９】第２の実施の形態に係る画像読取装置によって実行される原稿サイズ検知処理の手順を示すフローチャートである。
【図１０】寄せセンサを説明するための図である。
【図１１】第３の実施の形態に係る画像読取装置によって実行される原稿サイズ検知処理の手順を示すフローチャートである。
【図１２】幅規制板を示す平面図であり、図１２（ａ）は、原稿トレイに載置できる最大幅の原稿を規制する場合を示す図であり、図１２（ｂ）は、原稿トレイに載置できる最大幅よりもサイズが小さい原稿を規制する場合を示す図である。
【図１３】幅規制板と原稿との位置関係を示す図であり、図１３（ａ）は、幅規制板が原稿に当接した状態を示す図、図１３（ｂ）は、幅規制板が原稿に当接していない状態を示す図である。
【図１４】従来技術の問題点を説明するための図である。
【発明を実施するための形態】
【００１２】
以下、本発明の実施形態について、図面を参照しつつ詳細に説明する。
【００１３】
図１は、実施の形態に係る画像読取装置の概略構成を示す断面図である。
【００１４】
図１において、画像読取装置１００は、原稿を読み取るリーダーユニット１０１と、原稿をリーダーユニット１０１まで搬送する自動原稿送り装置（ＡＤＦ）１０２とから主として構成されている。ＡＤＦ１０２は、原稿トレイ１０４、原稿トレイ１０４に設けられた幅規制版１０５及びピックアップローラー１０６、搬送路としての湾曲した搬送パス１３０、読み取りガラス１１９及び排紙トレイ１１８を有する。原稿トレイ１０４は、原稿束１０３を載置し、幅規制板１０５は、原稿の２辺に当接してその斜行搬送を抑制する。
【００１５】
搬送パス１３０の入り口には、分離パッド１０７と分離ローラー１０８からなる分離部が設けられている。分離部は、ピックアップローラー１０６によって分離部へ配送された原稿束１０３の最上紙から原稿を１枚ずつ分離する。分離部の下流側には、原稿サイズ検知センサ１０９が設けられている。原稿サイズ検知センサ１０９は、原稿の有無を検知することによって分離部で分離された原稿について１枚ずつ原稿サイズを検知する。
【００１６】
搬送パス１３０における原稿サイズ検知センサ１０９の下流側には、第１レジストローラー１１０、第２レジストローラー１１１、第１搬送ローラー１１２、第２搬送ローラー１１３、及び第３搬送ローラー１１４が順に配置されている。第１レジストローラー１１０、及び、第２レジストローラー１１１は、原稿の斜め搬送を修正する。第２搬送ローラー１１３と第３搬送ローラー１１４の間には、白色対向部材１１５が配置されており、該白色対向部材１１５と後述する読取ユニット１２８とで画像読取部が形成されている。第３搬送ローラー１１４の更に下流側には、第４搬送ローラー１１６及び排紙ローラー１１７が設けられている。
【００１７】
読取ガラス１１９を挟んで白色対向部材１１５と対向する位置に、読取ユニット１２８が配置されている。読取ユニット１２８は、光源１２０及び１２１と、光源から出射され原稿面で反射した反射光をミラー１２２、１２３、１２４及び結像レンズ１２５を介して受光するラインセンサ１２６と、信号処理基板１２７を備えている。
【００１８】
原稿トレイ１０４から搬送パス１３０を経て原稿読取位置である白色対向部材１１５と読取ガラス１１９の間まで搬送された原稿に対し、光源１２０、１２１からの光が照射される。光源１２０、１２１から照射され、原稿面で反射した反射光は反射ミラー１２２、１２３、１２４を経て結像レンズ１２５へ導かれ、結像レンズ１２５で収束した後、ＣＣＤなどの撮像素子をライン上に配置したラインセンサ１２６に結像する。ラインセンサ１２６に結像した光信号は、該ラインセンサ１２６によって電気信号に変換され、信号処理基板１２７によってデジタル信号に変換された後、画像処理される。
【００１９】
白色対向部材１１５に対向する位置まで搬送され、原稿読取位置で表面の画像情報が読み取られた原稿は、第３搬送ローラー１１４、第４搬送ローラー１１６によって搬送され、排紙ローラー１１７によって排紙トレイ１１８上に排紙される。
【００２０】
図２は、図１の画像読取装置における信号処理基板の構成を示すブロック図である。
【００２１】
図２において、信号処理基板１２７は、ＡＤコンバータ２０１、ＣＰＵ２０２、及び、ＲＡＭ２０３を備えている。ＣＰＵ２０２は、ラインセンサ１２６、ＡＤコンバータ２０１、ＲＡＭ２０３、搬送制御部２０４、操作パネル２０５、及び、原稿サイズ検知センサ１０９に接続されており、これら各部を制御する。
【００２２】
ＡＤコンバータ２０１は、ラインセンサ１２６から送られてきたアナログ信号をデジタル信号へ変換する。ＡＤコンバータ２０１によってデジタル信号に変換された画像データは、ＣＰＵ２０２へと送られる。ＲＡＭ２０３は、ＣＰＵ２０２における画像処理に必要な画像データを記憶する装置として使われる。操作パネル２０５は、ユーザとのインタフェースを担当し、ユーザからの操作を受け付け、ユーザへのメッセージを表示する。原稿が混載原稿である場合、ユーザは、操作パネル２０５を操作して読取モードを混載モードに設定する。搬送制御部２０４は、原稿搬送に使用する各ローラーの動作を制御する。原稿サイズ検知センサ１０９は、複数のセンサからなり、原稿サイズを検知する。
【００２３】
次に、図１の画像読取装置によって実行される原稿サイズ検知処理について説明する。
【００２４】
図３は、図１の画像読取装置によって実行される原稿サイズ検知処理の手順を示すフローチャートである。原稿サイズ検知処理は、信号処理基板１２７のＣＰＵ２０２が、図示省略したＲＯＭに記憶された原稿サイズ検知処理プログラムに従って実行する。
【００２５】
本原稿サイズ検知処理は、ユーザに、原稿読取モードが混載モードであるか否かを設定させ、混載モードでない場合は、原稿サイズ検知センサ１０９で検知した第１の原稿サイズ検知結果を最終的な原稿サイズとする。一方、混載モードの場合は、画像データの先端エッジから検知した第２の原稿サイズ検知結果を最終的な原稿サイズとする。
【００２６】
図３において、ＣＰＵ２０２は、先ず、原稿の読み取り開始信号を検知したか否かを判定し、原稿読み取り開始信号を検知することによって原稿サイズ検知処理が開始される（ステップＳ３０１）。原稿読取開始信号は、ユーザが操作パネル２０５から入力し、ＣＰＵ２０２が操作パネル２０５から受信することによって検知する。このとき、ＣＰＵ２０２は、原稿読取開始信号と合わせてユーザによって設定された原稿読取モード情報を読み出す。なお、ユーザは、原稿として大きさの異なる混載原稿を用いる場合は、原稿読取開始の入力に先立って、操作パネル２０５によって、原稿が混載原稿である旨を設定する。
【００２７】
原稿読取開始信号を検知した後（ステップＳ３０１で「ＹＥＳ」）、ＣＰＵ２０２は、搬送制御部２０４を制御して原稿の搬送を開始する（ステップＳ３０２）。
【００２８】
次いで、ＣＰＵ２０２は、原稿サイズ検知センサ１０９の情報を読み取り（ステップＳ３０３、読取った情報に基づいて第１の原稿サイズを決定する（ステップＳ３０４）。
図４は、原稿サイズ検知センサを説明するための図である。図４において、原稿サイズ検知センサ１０９は、原稿サイズに対応するように、搬送路上に、主走査方向に沿って配置された３つのセンサ４０１、４０２及び４０３で構成されている。３つのセンサ４０１、４０２及び４０３は、原稿の有無を検知する原稿検知センサであり、原稿を検知している間はＯＮとなる。原稿の幅方向を規制する規制部材としての幅規制板１０５に挟持された原稿の主走査方向のサイズは、センサ４０１〜４０３がＯＮになる組み合わせによって、図５に示す対応表に従って決定される。
【００２９】
図５は、原稿サイズ検知センサのセンサ出力と原稿サイズとの対応表である。
【００３０】
図５において、センサ４０１、４０２及び４０３の出力がいずれもＯＮの場合、原稿サイズは、サイズが大きい大原稿と判定される（図４（ａ）参照）。一方、センサ４０１がＯＦＦで、センサ４０２及び４０３がＯＮの場合、原稿サイズは、サイズが中程度の中原稿と判定される（図４（ｂ）参照）。また、センサ４０１及び４０２がＯＦＦで、センサ４０３がＯＮの場合、原稿サイズは、サイズが小さい小原稿と判定される（図４（ｃ）参照）。原稿の副走査方向のサイズは、センサ４０１〜４０３がＯＮとなっている時間を計測することで検知できる。
【００３１】
図３に戻り、第１の原稿サイズを決定した後、ＣＰＵ２０２は、原稿画像の読み取りを開始する（ステップＳ３０５）。このとき、ＣＰＵ２０２は、ラインセンサ１２６と、信号処理基板１２７のＡＤコンバータ２０１を制御してラインセンサ１２６で光電変換され、ＡＤコンバータ２０１を介して受信した原稿画像データをＲＡＭ２０３に格納する。次いで、ＣＰＵ２０２は、ステップＳ３０１で合わせて読み出した情報に基づいて、原稿読取モードが混載モードであるか否かを判定する（ステップＳ３０６）。ステップＳ３０６の判定の結果、混載モードの場合（ステップＳ３０６で「ＹＥＳ」）、ＣＰＵ２０２は、ＲＡＭ２０３に格納された画像データを読み出してエッジ検知を行い、エッジ検知の結果をＲＡＭ２０３に格納する（ステップＳ３０７）。
【００３２】
次いで、ＣＰＵ２０２は、ステップＳ３０７で検知されたエッジについて、原稿先端部における主走査方向の連続性を調べることによって、第２の原稿サイズを決定する（ステップＳ３０８）。次いで、ＣＰＵ２０２は、決定した第２の原稿サイズを最終的な原稿サイズとして採用し、原稿サイズ検知処理を終了する。
【００３３】
一方、ステップＳ３０６の判定の結果、混載モードでない場合（ステップＳ３０６で「ＮＯ」）、ＣＰＵ２０２は、ステップＳ３０４で決定した第１の原稿サイズを最終的な原稿サイズとして採用し、原稿サイズ検知処理を終了する。
【００３４】
次に、図３のステップＳ３０８におけるサブルーチンとしての第２の原稿サイズ決定処理について詳細に説明する。
【００３５】
図６は、第２の原稿サイズ決定処理の手順を示すフローチャートである。第２の原稿サイズ決定処理も、信号処理基板１２７のＣＰＵ２０２が、図示省略したＲＯＭに記憶された第２の原稿サイズ決定処理プログラムに従って実行する。
【００３６】
図６において、第２の原稿サイズ決定処理が開始されると、ＣＰＵ２０２は、エッジ検出における主走査カウンタｘを０に初期化する（ステップＳ７０１）。次いで、ＣＰＵ２０２は、エッジ検出における副走査カウンタｙを０に初期化する（ステップＳ７０２）。主走査カウンタｘ及び副走査カウンタｙを初期化した後、ＣＰＵ２０２は、ＲＡＭ２０３に格納された原稿画像データについてエッジ検知処理を行う。
【００３７】
図７は、エッジ検知処理を説明するための図である。
【００３８】
図７において、主走査位置毎に副走査方向のｙ=０からｙ=ｙ１までの範囲内に、エッジがあるか否かが判定され、判定結果がｅｄｇｅ［ｘ］としてＲＡＭ２０３に格納される。図７において、エッジが検出された場合は１が、エッジが検出されなかった場合は0が格納される。主走査方向の全域においてエッジ検知が終了した後、ｅｄｇｅ［ｘ］内の格納データを参照して１の連続数が計数され、計数結果に基づいて原稿の主走査方向のサイズが決定される。
【００３９】
図６に戻り、主走査カウンタｘ及び副走査カウンタｙを初期化した後、ＣＰＵ２０２は、原稿画像データにおける位置（ｘ、ｙ）の画素がエッジであるか否かを判定する（ステップＳ７０３）。ステップＳ７０３の判定の結果、位置（ｘ、ｙ）の画素がエッジでない場合（ステップＳ７０３で「ＮＯ」）、ＣＰＵ２０２は、副走査カウンタｙを１インクリメントする（ステップＳ７０４）。
【００４０】
次いで、ＣＰＵ２０２は、副走査カウンタｙがエッジ検出範囲終了位置ｙ１未満であるか否かを判定する（ステップＳ７０６）。ステップＳ７０６の判定の結果、副走査カウンタｙがエッジ検出範囲終了位置ｙ１未満でない場合（ステップＳ７０６で「ＮＯ」）、ＣＰＵ２０２は、エッジ判定結果格納配列ｅｄｇｅ［ｘ］に０を格納する（ステップＳ７０７）。次いで、ＣＰＵ２０２は、主走査カウンタｘを１インクリメントし（ステップＳ７０８）、主走査カウンタｘが主走査読取領域終了位置ｗｉｄｔｈ未満であるか否かを判定する（ステップＳ７０９）。ステップＳ７０９の判定の結果、主走査カウンタｘが主走査読取領域終了位置ｗｉｄｔｈ未満でない場合（ステップＳ７０９で「ＮＯ」）、ＣＰＵ２０２は、原稿サイズを確定する（ステップＳ７１０）。すなわち、ＣＰＵ２０２は、エッジ判定結果格納配列ｅｄｇｅ［ｘ］に格納されている１の連続数を調べ、連続数に対応した原稿サイズを求めて原稿サイズを確定する。
【００４１】
一方、ステップＳ７０３の判定の結果、位置（ｘ、ｙ）の画素がエッジであった場合（ステップＳ７０３で「ＹＥＳ」）、ＣＰＵ２０２は、エッジ判定結果格納配列ｅｄｇｅ［ｘ］に１を格納し（ステップＳ７０５）、処理をステップＳ７０８に進める。
【００４２】
また、ステップＳ７０６の判定の結果、副走査カウンタｙがエッジ検出範囲終了位置ｙ１未満である場合（ステップＳ７０６で「ＹＥＳ」）、ＣＰＵ２０２は、処理をステップＳ７０３へ戻し、上述した処理を繰り返す。また、ステップＳ７０９の判定の結果、主走査カウンタｘが主走査読取領域終了位置ｗｉｄｔｈ未満である場合（ステップＳ７０９で「ＹＥＳ」）、ＣＰＵ２０２は、処理をステップＳ７０２へ戻し、上述したエッジ検知処理を繰り返す。
【００４３】
図６の処理によれば、原稿画像の主走査方向の全域においてエッジ検知を行い、エッジが検知されたことを示すデータ１の連続数の計数結果に基づいて原稿の主走査方向のサイズを決定する。これによって、原稿の主操作方向のサイズを、第２の原稿サイズとして正確に決定することができる。
【００４４】
本実施の形態によれば、原稿読取モードが混載モードである場合（ステップＳ３０６で「ＹＥＳ」）、画像データの先端エッジから検知した第２の原稿サイズを最終的な原稿サイズとする。一方、混載モードでない場合（ステップＳ３０６で「ＮＯ」）、ステップＳ３０４で決定した第１の原稿サイズを最終的な原稿サイズとする。このように、原稿読取モードが混載モードであるか否かによって原稿サイズ検知方法を切り替え、混載モードの場合、画像データの先端エッジから検知した第２の原稿サイズを最終的な原稿サイズとして採用する。これによって、混載モードでも原稿トレイ上の原稿の一辺を揃えなくても原稿サイズを適正に検出することができるので、生産性を低下させることなく原稿画像を良好に読み取って、原稿載置方法の違いに起因する不良画像の発生を抑制することができる。
【００４５】
本実施の形態において、画像読取装置は単独の装置であっても、他の機能を組み合わせた複写機、ファクシミリ、複合機等の一部を構成するものであってもよい。
【００４６】
次に、第２の実施の形態について説明する。
【００４７】
第２の実施の形態に係る画像読取装置のハード構成が、第１の実施の形態に係る画像読取装置（図１）と異なるところは、原稿サイズ検知センサの一部として寄せセンサ８０１を追加した点である。寄せセンサ８０１は、原稿が幅規制板１０５に正しく当接されているか否かを検知するものである。
【００４８】
図８は、第２の実施の形態に係る画像読取装置における信号処理基板の構成を示すブロック図である。図８において、本実施の形態における信号処理基板１２７のＣＰＵ２０２は、寄せセンサ８０１に接続されており、寄せセンサ８０１を制御して原稿が幅規制板１０５に正しく当接されているか否かを検知する。なお、本実施の形態における原稿読取動作は第１の実施の形態と同様である。
【００４９】
以下、本実施の形態で実行される原稿サイズ検知処理について説明する。
【００５０】
図９は、第２の実施の形態に係る画像読取装置によって実行される原稿サイズ検知処理の手順を示すフローチャートである。この原稿サイズ検知処理は、第１の実施の形態と同様、信号処理基板１２７のＣＰＵ２０２が、図示省略したＲＯＭに記憶された原稿サイズ検知処理プログラムに従って実行する。
【００５１】
図９において、ステップＳ１００１からステップＳ１００５までの処理は、第１の実施の形態における図３のステップＳ３０１からＳ３０５と同様である。従って、説明を省略する。
【００５２】
ステップＳ１００５において原稿画像の読み取りを開始した後、ＣＰＵ２０２は、寄せセンサ８０１がＯＮであるか否かを判定する（ステップＳ１００６）。
【００５３】
図１０は、寄せセンサを説明するための図である。
【００５４】
図１０において、寄せセンサ８０１は、原稿の１辺を検出する３つのセンサからなる原稿サイズ検知センサ１０９と対向するように配置された対向センサである。寄せセンサ８０１は、原稿サイズ検知センサ１０９が配置された側の一の幅規制板１０５と対向する他の幅規制板１０５側に、該他の幅規制板１０５で支持される原稿の他辺を検出するように配置されている。寄せセンサ８０１は、原稿サイズ検知センサ１０９で検出される原稿の一辺と対向する他辺を検出する位置に常に位置するように構成されており、上記他の幅規制板１０５の動きに合わせて主走査方向に移動する。寄せセンサ８０１は、原稿サイズ検知センサ１０９のセンサ４０１〜４０３と同様、原稿を検出するとＯＮとなる。
【００５５】
図１０（ａ）に示したように、原稿トレイ１０４上に、サイズが異なる原稿が寄せセンサ８０１側を揃えて載置された場合、寄せセンサ８０１の出力はＯＮとなり、原稿サイズ検知センサ１０９の検出結果は、正しい原稿サイズを検知する。一方、図９（ｂ）に示したように、原稿トレイ１０４上に、サイズが異なる原稿が寄せセンサ８０１側を揃えることなく載置された場合、寄せセンサ８０１の出力はＯＦＦとなることがある。この場合、原稿サイズ検知センサ１０９の検出結果は、正しい原稿サイズを検出することができない。すなわち、図１０（ｂ）の場合、小さいサイズの小原稿が、中間サイズの中原稿と誤って検知される。
【００５６】
そこで、本実施の形態では、このような誤検知を防止すべく、寄せセンサ８０１がＯＮであるか否かに基づいて原稿サイズ検知結果を選択する。すなわち、図９のステップＳ１００６の判定の結果、寄せセンサ８０１が「ＯＮ」である場合（ステップＳ１００６で「ＹＥＳ」）、ステップＳ１００４で決定された第１の原稿サイズを最終的な原稿サイズとして採用し、本処理を終了する。
【００５７】
一方、ステップＳ１００６の判定の結果、寄せセンサ８０１がＯＮでなくＯＦＦの場合（ステップＳ１００６で「ＮＯ」）、ＣＰＵ２０２は、処理をステップＳ１００７及び１００８に進め、画像データのエッジ検出に基づいて原稿サイズを検知する。すなわち、第１の実施の形態（図３）のステップＳ３０７及びＳ３０８と同様に、第２の原稿サイズ決定処理を実行し、第２の原稿サイズを最終的な原稿サイズとして採用し、本処理を終了する。
【００５８】
本実施の形態によれば、寄せセンサ８０１の出力結果によって、原稿サイズ検知センサ１０９の検知結果に基づいて決定された第１の原稿サイズと、画像エッジから検知した第２の原稿サイズのどちらを採用するかを決定する。これによって、原稿が、サイズの異なる混載原稿であっても、寄せセンサ８０１側端を揃えて載置することによって生産性を低下させることなく良好な画像読み取りを行うことができる。一方、混載原稿において、寄せセンサ８０１側端が揃えて載置されない場合でも、原稿サイズ検知センサ１０９の検知結果に基づいて決定された第１の原稿サイズを採用することによって、原稿サイズの誤検知を抑制して良好に画像を読み取ることができる。
【００５９】
本実施の形態において、混載モードであるか否かに関わらず、ユーザには寄せセンサ８０１が設置されている側の幅規制板１０５に原稿の１辺を揃えて載置するように促すことが好ましい。これによって、画像読み取りの生産性を確保することができる。
【００６０】
次に、第３の実施の形態について説明する。
【００６１】
第３の実施の形態に係る画像読取装置のハード構成は、第１の実施の形態に係る画像読取装置のハード構成と同様であり、制御構成のみが異なる。
【００６２】
図１１は、第３の実施の形態に係る画像読取装置によって実行される原稿サイズ検知処理の手順を示すフローチャートである。この原稿サイズ検知処理は、第１の実施の形態と同様、信号処理基板１２７のＣＰＵ２０２が、図示省略したＲＯＭに記憶された原稿サイズ検知処理プログラムに従って実行する。
【００６３】
図１１において、本実施の形態では、第１の実施の形態における原稿サイズ検知処理のステップＳ３０２の次に、幅規制板の設定幅の読み取り処理（ステップＳ１１０３）が追加されている。また、本実施の形態のステップＳ３０６において混載モードでないと判定された場合に、幅規制板１０５の設定幅と、第１の原稿サイズ決定結果を比較する処理（ステップＳ１１１０）が追加されている。
【００６４】
以下、図３の原稿サイズ検知処理との相違点を中心に、第３の実施の形態に係る画像形成装置で実行される原稿サイズ検知処理について説明する。
【００６５】
図１１において、ステップＳ１１０１とステップＳ１１０２の処理は、図３のステップＳ３０１とステップＳ３０２と同様である。従って、説明を省略する。
【００６６】
ステップＳ１１０２において、原稿の搬送を開始した後、ＣＰＵ２０２は、幅規制板１０５の設定幅を読み取る（ステップＳ１１０３）。
【００６７】
図１２は、幅規制板を示す平面図であり、図１２（ａ）は、原稿トレイに載置できる最大幅の原稿を規制する場合を示す図であり、図１２（ｂ）は、原稿トレイに載置できる最大幅よりもサイズが小さい原稿を規制する場合を示す図である。図１２（ａ）において、最大幅の原稿をセットする場合、ユーザは、一対の幅規制板１０５の間隔を広げて原稿を載置する。
【００６８】
幅規制板１０５は、原稿トレイ１０４の中央部に設けられた原稿幅検知用ボリューム抵抗１２０１を備えている。抵抗器としてのボリューム抵抗１２０１は、幅規制板１０５の移動と連動して回動するように構成されており、幅規制板１０５の幅を広げるとボリューム抵抗値が小さくなり、幅規制板１０５の幅を狭めるとボリューム抵抗値が大きくなるように構成されている。従って、原稿幅検知用ボリューム抵抗１２０１の検出値を検知することによって、幅規制板１０５の設定幅を読み取ることができる。
【００６９】
幅規制板１０５の設定幅を読み取った（ステップＳ１１０３）後、ＣＰＵ２０２は、原稿サイズ検知センサ１０９の情報を読取り（ステップＳ１１０４）、以下、図３のステップＳ３０４〜ステップＳ３０８と同様の処理を行う（ステップＳ１１０５〜Ｓ１１０９）。
【００７０】
そして、ステップＳ１１０７の判定の結果、混載モードでない場合（ステップＳ１１０７で「ＮＯ」）、ＣＰＵ２０２は、処理をステップＳ１１１０に進める。すなわち、ＣＰＵ２０２は、ステップＳ１１０３で読取った幅規制板１０５の設定幅とステップＳ１１０５で決定した原稿サイズとしての原稿幅が同じであるか否かを判定する（ステップＳ１１１０）。
【００７１】
図１３は、幅規制板と原稿との位置関係を示す図であり、図１３（ａ）は、幅規制板が原稿に当接した状態を示す図、図１３（ｂ）は、幅規制板が原稿に当接していない状態を示す図である。図１３（ａ）において、一対の幅規制板１０５が原稿に当接するように設定されている。従って、原稿サイズ検知センサ１０９のうちセンサ４０３のみがＯＮとなり、原稿の主走査方向幅の検知結果は、サイズが小さい小原稿であると正しく判定される。一方、図１３（ｂ）に示すように、幅規制板１０５が原稿に正しく当接していない設定では、原稿サイズ検知センサ１０９のうちセンサ４０２とセンサ４０３の両方がＯＮとなり、小原稿であるにもかかわらず、中原稿であると誤って判定されることになる。
【００７２】
従って、本実施の形態においては、図１３（ｂ）の場合において、幅規制板１０５の設定幅の読み取り値と、原稿サイズ検知センサ１０９の検知結果に基づいて決定した第１原稿サイズが、同じが否かを判定する（ステップＳ１１１０）。
【００７３】
そして、ステップＳ１１１０の判定の結果、幅規制板１０５の設定幅と第１の原稿サイズ決定結果とが同じである場合、ＣＰＵ２０２は、ステップＳ１１０５で検知した第１の原稿サイズを最終的な原稿サイズとして採用する。一方、ステップＳ１１１０の判定の結果、幅規制板１０５の設定幅と、第１の原稿サイズ決定結果が異なる場合、ＣＰＵ２０２は、処理をステップＳ１１０８及び１１０９に進め、第２の原稿サイズ決定処理を実行する。すなわち、第１の実施の形態（図３）のステップＳ３０７及びＳ３０８と同様に、サブルーチンとしての第２の原稿サイズ決定処理を実行し、第２の原稿サイズを最終的な原稿サイズとして採用し、本処理を終了する。これによって、図１３（ｂ）で生じるような原稿サイズ検知センサによる誤検知が是正される。
【００７４】
図１１の処理によれば、幅規制板１０５が正しく設定されている場合、すなわち、幅規制板１０５の設定幅と、第１の原稿サイズ決定結果が同じ場合には、ステップＳ１１０５で決定された第１の原稿サイズを最終的な原稿サイズとして採用する。一方、幅規制板１０５の設定幅と、第１の原稿サイズ決定結果が異なる場合には、ステップＳ１１０９まで処理を進め、画像データのエッジから原稿サイズ検知を行う。これによって、混載モード時は、第２の原稿サイズを採用することによって、原稿サイズを正確に検知する一方、混載モードでない場合であって、幅規制板１０５の設定幅が正しく設定されていない場合でも、原稿サイズの誤検知を抑制することができる。
【符号の説明】
【００７５】
１０１  リーダーユニット
１０２  自動原稿送り装置（ＡＤＦ）
１０５  幅規制板
１０９  原稿サイズ検知センサ
１１９  読取ガラス
１２０、１２１  光源
１２６  ラインセンサ
１２７  信号処理基板
２０２  ＣＰＵ
２０３  ＲＡＭ
８０１  寄せセンサ
【図１】
2016197773.tif 000003
【図２】
2016197773.tif 000004
【図３】
2016197773.tif 000005
【図４】
2016197773.tif 000006
【図５】
2016197773.tif 000007
【図６】
2016197773.tif 000008
【図７】
2016197773.tif 000009
【図８】
2016197773.tif 000010
【図９】
2016197773.tif 000011
【図１０】
2016197773.tif 000012
【図１１】
2016197773.tif 000013
【図１２】
2016197773.tif 000014
【図１３】
2016197773.tif 000015
【図１４】
2016197773.tif 000016